(57)【要約】【課題】被検眼の複数の部位が詳細に描出された画像を提供する。【解決手段】実施形態の眼科撮影装置の記憶部は、眼の１以上の部位のそれぞれに表示色及び表示階調を含む表示条件が対応付けられた表示条件情報を予め記憶する。データ収集部は、光コヒーレンストモグラフィを用いて被検眼のデータを収集する。画像形成部は、データ収集部により収集されたデータに基づいて画像を形成する。部分領域特定部は、画像形成部により形成された画像を解析することにより被検眼の所定部位に相当する部分領域を特定する。表示条件選択部は、所定部位に対応する表示条件を表示条件情報から選択する。制御部は、表示条件選択部により選択された表示条件に基づいて、画像形成部により形成された画像を表示手段に表示させる。【選択図】図３
2017093854.tif 000002
【特許請求の範囲】
【請求項１】
眼の１以上の部位のそれぞれに表示色及び表示階調を含む表示条件が対応付けられた表示条件情報を予め記憶する記憶部と、
光コヒーレンストモグラフィを用いて被検眼のデータを収集するデータ収集部と、
前記データ収集部により収集されたデータに基づいて画像を形成する画像形成部と、
前記画像形成部により形成された画像を解析することにより前記被検眼の所定部位に相当する部分領域を特定する部分領域特定部と、
前記所定部位に対応する前記表示条件を前記表示条件情報から選択する表示条件選択部と、
前記表示条件選択部により選択された表示条件に基づいて、前記画像形成部により形成された画像を表示手段に表示させる制御部と
を備える眼科撮影装置。
【請求項２】
前記制御部は、少なくとも、前記表示条件選択部により選択された表示条件に含まれる表示色及び表示階調を適用して前記画像中の前記部分領域を表示させる
ことを特徴とする請求項１に記載の眼科撮影装置。
【請求項３】
前記画像形成部は、所定の基準階調のグレースケール画像を形成し、
前記表示条件情報には、白、黒及びこれらの中間色のいずれとも異なる１以上の表示色と前記基準階調に基づき設定された複数の階調値を含む表示階調とにより定義されたカラーコードが、前記１以上の部位のそれぞれに対応付けられており、
前記制御部は、前記部分領域の各画素のグレースケール値を前記所定部位に対応する前記カラーコードに基づいてカラー値に変換する
ことを特徴とする請求項２に記載の眼科撮影装置。
【請求項４】
前記１以上の部位のいずれかは硝子体である
ことを特徴とする請求項３に記載の眼科撮影装置。
【請求項５】
前記被検眼の２以上の画像が前記表示手段に表示されるとき、
前記部分領域特定部は、前記２以上の画像のそれぞれにおいて前記所定部位に相当する部分領域を特定し、
前記制御部は、前記所定部位に対応する前記表示条件を前記２以上の画像のそれぞれにおける前記部分領域に適用する
ことを特徴とする請求項１〜４のいずれかに記載の眼科撮影装置。
【請求項６】
前記制御部により前記表示手段に表示された前記被検眼の画像の部分領域を指定する操作と、表示条件を変更する操作とを行うための第１ユーザインターフェイス部を備え、
前記制御部は、前記第１ユーザインターフェイス部により指定された表示条件を、前記第１ユーザインターフェイス部により指定された部分領域に適用する
ことを特徴とする請求項１〜５のいずれかに記載の眼科撮影装置。
【請求項７】
前記表示条件情報を編集するための第２ユーザインターフェイス部を備える
ことを特徴とする請求項１〜６のいずれかに記載の眼科撮影装置。
【請求項８】
眼の１以上の部位のそれぞれに表示色及び表示階調を含む表示条件が対応付けられた表示条件情報を予め記憶する記憶部と、
光コヒーレンストモグラフィを用いて取得された被検眼の画像を受け付ける受付部と、
前記受付部により受け付けられた画像を解析することにより前記被検眼の所定部位に相当する部分領域を特定する部分領域特定部と、
前記所定部位に対応する前記表示条件を前記表示条件情報から選択する表示条件選択部と、
前記表示条件選択部により選択された表示条件に基づいて、前記受付部により受け付けられた画像を表示手段に表示させる制御部と
を備える眼科画像表示装置。
【発明の詳細な説明】
【技術分野】
【０００１】
本発明は、眼科撮影装置及び眼科画像表示装置に関する。
【背景技術】
【０００２】
近年、レーザ光源等からの光ビームを用いて対象を画像化する光コヒーレンストモグラフィ（Ｏｐｔｉｃａｌ  Ｃｏｈｅｒｅｎｃｅ  Ｔｏｍｏｇｒａｐｈｙ：ＯＣＴ）が注目を集めている。ＯＣＴは、Ｘ線ＣＴのような人体に対する侵襲性を持たないことから、医療分野や生物学分野への応用が進んでいる。例えば眼科分野では、眼底や角膜のＯＣＴを行う装置が実用化されている。更に、硝子体の画像化が可能な装置も提案されている。例えば特許文献１には、前眼部及び眼底の画像化に加え、これらの間の中間透光部位（水晶体、硝子体等）の画像化も可能なＯＣＴ技術が開示されている。
【先行技術文献】
【特許文献】
【０００３】
【特許文献１】特開２０１５−１５７１８２号公報
【発明の概要】
【発明が解決しようとする課題】
【０００４】
被検眼の複数の部位が描出された画像を表示した場合、全ての部位を詳細に観察できないことがある。例えば、複数の組織が積層されてなる眼底における信号の変化と比較し、透明なゼリー状組織である硝子体における信号の変化はかなり微弱であるため、硝子体と眼底とを含む範囲の断面像をモノクロで表示すると、硝子体の状態を詳細に観察できないことがある。
【０００５】
本発明に係る眼科撮影装置及び眼科画像表示装置の目的は、被検眼の複数の部位が詳細に描出された画像を提供することにある。
【課題を解決するための手段】
【０００６】
実施形態の眼科撮影装置は、記憶部と、データ収集部と、画像形成部と、部分領域特定部と、表示条件選択部と、制御部とを備える。記憶部は、眼の１以上の部位のそれぞれに表示色及び表示階調を含む表示条件が対応付けられた表示条件情報を予め記憶する。データ収集部は、光コヒーレンストモグラフィを用いて被検眼のデータを収集する。画像形成部は、データ収集部により収集されたデータに基づいて画像を形成する。部分領域特定部は、画像形成部により形成された画像を解析することにより被検眼の所定部位に相当する部分領域を特定する。表示条件選択部は、所定部位に対応する表示条件を表示条件情報から選択する。制御部は、表示条件選択部により選択された表示条件に基づいて、画像形成部により形成された画像を表示手段に表示させる。
【発明の効果】
【０００７】
実施形態によれば、被検眼の複数の部位が詳細に描出された画像を提供することが可能である。
【図面の簡単な説明】
【０００８】
【図１】実施形態に係る眼科撮影装置の構成の一例を表す概略図。
【図２】実施形態に係る眼科撮影装置の構成の一例を表す概略図。
【図３】実施形態に係る眼科撮影装置の構成の一例を表す概略図。
【図４Ａ】実施形態に係る眼科撮影装置の構成の一例を説明するための概略図。
【図４Ｂ】実施形態に係る眼科撮影装置の構成の一例を説明するための概略図。
【図４Ｃ】実施形態に係る眼科撮影装置の構成の一例を説明するための概略図。
【図５】実施形態に係る眼科撮影装置の構成の一例を表す概略図。
【図６Ａ】実施形態に係る眼科撮影装置の動作の一例を説明するための概略図。
【図６Ｂ】実施形態に係る眼科撮影装置の動作の一例を説明するための概略図。
【図７】実施形態に係る眼科撮影装置の動作の一例を表すフロー図。
【図８】実施形態に係る眼科撮影装置の動作の一例を説明するための概略図。
【図９】実施形態に係る眼科画像表示装置の構成の一例を表す概略図。
【発明を実施するための形態】
【０００９】
本発明の幾つかの実施形態について図面を参照しながら詳細に説明する。実施形態の眼科撮影装置は、少なくとも光コヒーレンストモグラフィ（ＯＣＴ）を実行する機能を備えた眼科装置である。
【００１０】
以下、スウェプトソースＯＣＴと眼底カメラとを組み合わせた眼科撮影装置について説明するが、実施形態はこれに限定されない。例えば、ＯＣＴの種別はスウェプトソースＯＣＴには限定されず、スペクトラルドメインＯＣＴやタイムドメインＯＣＴやフルフィールドＯＣＴ（インファスＯＣＴ）であってもよい。また、眼科撮影装置は、眼底カメラのような被検眼の写真（デジタル写真）を取得する機能を備えていてもいなくてもよい。また、眼底カメラの代わりに、走査型レーザ検眼鏡（ＳＬＯ）や、スリットランプ顕微鏡や、前眼部撮影カメラや、手術用顕微鏡などが設けられてもよい。
【００１１】
〈構成〉
図１に示すように、眼科撮影装置１は、眼底カメラユニット２、ＯＣＴユニット１００及び演算制御ユニット２００を含む。眼底カメラユニット２には、従来の眼底カメラとほぼ同様の光学系が設けられている。ＯＣＴユニット１００には、ＯＣＴを実行するための光学系や機構が設けられている。演算制御ユニット２００はプロセッサを含む。被検者の顔を支持するための顎受けや額当てが、眼底カメラユニット２に対向する位置に設けられている。
【００１２】
本明細書において「プロセッサ」は、例えば、ＣＰＵ（Ｃｅｎｔｒａｌ  Ｐｒｏｃｅｓｓｉｎｇ  Ｕｎｉｔ）、ＧＰＵ（Ｇｒａｐｈｉｃｓ  Ｐｒｏｃｅｓｓｉｎｇ  Ｕｎｉｔ）、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、プログラマブル論理デバイス（たとえば、ＳＰＬＤ（Ｓｉｍｐｌｅ  Ｐｒｏｇｒａｍｍａｂｌｅ  Ｌｏｇｉｃ  Ｄｅｖｉｃｅ）、ＣＰＬＤ（Ｃｏｍｐｌｅｘ  Ｐｒｏｇｒａｍｍａｂｌｅ  Ｌｏｇｉｃ  Ｄｅｖｉｃｅ）、ＦＰＧＡ（Ｆｉｅｌｄ  Ｐｒｏｇｒａｍｍａｂｌｅ  Ｇａｔｅ  Ａｒｒａｙ））等の回路を意味する。プロセッサは、例えば、記憶回路や記憶装置に格納されているプログラムを読み出し実行することで、実施形態に係る機能を実現する。
【００１３】
〈眼底カメラユニット２〉
眼底カメラユニット２には、被検眼Ｅの眼底Ｅｆを撮影するための光学系や機構が設けられている。眼底Ｅｆを撮影して得られる画像（眼底像、眼底写真等と呼ばれる）には、観察画像や撮影画像がある。観察画像は、例えば、近赤外光を用いた動画撮影により得られる。撮影画像は、例えば、可視フラッシュ光を用いて得られるカラー画像若しくはモノクロ画像、又は近赤外フラッシュ光を用いて得られるモノクロ画像である。眼底カメラユニット２は、フルオレセイン蛍光画像やインドシアニングリーン蛍光画像や自発蛍光画像などを取得可能であってもよい。
【００１４】
眼底カメラユニット２は、照明光学系１０と撮影光学系３０とを含む。照明光学系１０は被検眼Ｅに照明光を照射する。撮影光学系３０は、被検眼Ｅからの照明光の戻り光を検出する。ＯＣＴユニット１００からの測定光は、眼底カメラユニット２内の光路を通じて被検眼Ｅに導かれ、その戻り光は、同じ光路を通じてＯＣＴユニット１００に導かれる。
【００１５】
照明光学系１０の観察光源１１は、例えばハロゲンランプ又はＬＥＤ（Ｌｉｇｈｔ  Ｅｍｉｔｔｉｎｇ  Ｄｉｏｄｅ）である。観察光源１１から出力された光（観察照明光）は、曲面状の反射面を有する反射ミラー１２により反射され、集光レンズ１３を経由し、可視カットフィルタ１４を透過して近赤外光となる。更に、観察照明光は、撮影光源１５の近傍にて一旦集束し、ミラー１６により反射され、リレーレンズ１７、１８、絞り１９及びリレーレンズ２０を経由する。そして、観察照明光は、孔開きミラー２１の周辺部（孔部の周囲の領域）にて反射され、ダイクロイックミラー４６を透過し、対物レンズ２２により屈折されて被検眼Ｅ（特に眼底Ｅｆ）を照明する。
【００１６】
被検眼Ｅからの観察照明光の戻り光は、対物レンズ２２により屈折され、ダイクロイックミラー４６を透過し、孔開きミラー２１の中心領域に形成された孔部を通過し、ダイクロイックミラー５５を透過し、撮影合焦レンズ３１を経由し、ミラー３２により反射される。更に、この戻り光は、ハーフミラー３３Ａを透過し、ダイクロイックミラー３３により反射され、集光レンズ３４によりＣＣＤイメージセンサ３５の受光面に結像される。ＣＣＤイメージセンサ３５は、例えば所定のフレームレートで戻り光を検出する。なお、撮影光学系３０のピントが眼底Ｅｆに合っている場合には眼底Ｅｆの観察画像が得られ、ピントが前眼部に合っている場合には前眼部の観察画像が得られる。
【００１７】
撮影光源１５は、例えば、キセノンランプ又はＬＥＤを含む可視光源である。撮影光源１５から出力された光（撮影照明光）は、観察照明光と同様の経路を通って眼底Ｅｆに照射される。被検眼Ｅからの撮影照明光の戻り光は、観察照明光の戻り光と同じ経路を通ってダイクロイックミラー３３まで導かれ、ダイクロイックミラー３３を透過し、ミラー３６により反射され、集光レンズ３７によりＣＣＤイメージセンサ３８の受光面に結像される。
【００１８】
ＬＣＤ３９は、被検眼Ｅを固視させるための固視標を表示する。ＬＣＤ３９から出力された光束（固視光束）は、その一部がハーフミラー３３Ａにて反射され、ミラー３２に反射され、撮影合焦レンズ３１及びダイクロイックミラー５５を経由し、孔開きミラー２１の孔部を通過する。孔開きミラー２１の孔部を通過した固視光束は、ダイクロイックミラー４６を透過し、対物レンズ２２により屈折されて眼底Ｅｆに投射される。ＬＣＤ３９の画面における固視標の表示位置を変更することにより被検眼Ｅの固視位置を変更できる。なお、ＬＣＤ３９の代わりに、複数のＬＥＤが２次元的に配列されたマトリクスＬＥＤや、光源と可変絞り（液晶絞り等）との組み合わせなどを、固視光束出力手段として用いることができる。
【００１９】
眼底カメラユニット２にはアライメント光学系５０とフォーカス光学系６０が設けられている。アライメント光学系５０は、被検眼Ｅに対する光学系のアライメントに用いられるアライメント指標を生成する。フォーカス光学系６０は、被検眼Ｅに対するフォーカス調整に用いられるスプリット指標を生成する。
【００２０】
アライメント光学系５０のＬＥＤ５１から出力されたアライメント光は、絞り５２及び５３並びにリレーレンズ５４を経由し、ダイクロイックミラー５５により反射され、孔開きミラー２１の孔部を通過する。孔開きミラー２１の孔部を通過した光は、ダイクロイックミラー４６を透過し、対物レンズ２２により被検眼Ｅに投射される。
【００２１】
アライメント光の角膜反射光は、対物レンズ２２、ダイクロイックミラー４６及び上記孔部を経由し、その一部がダイクロイックミラー５５を透過し、撮影合焦レンズ３１を通過し、ミラー３２により反射され、ハーフミラー３３Ａを透過し、ダイクロイックミラー３３に反射され、集光レンズ３４によりＣＣＤイメージセンサ３５の受光面に投影される。ＣＣＤイメージセンサ３５による受光像（アライメント指標像）に基づき、従来と同様のマニュアルアライメントやオートアライメントを行うことができる。
【００２２】
フォーカス光学系６０は、撮影光学系３０の光路（撮影光路）に沿った撮影合焦レンズ３１の移動に連動して、照明光学系１０の光路（照明光路）に沿って移動される。反射棒６７は、照明光路に対して挿脱可能である。
【００２３】
フォーカス調整を行う際には、反射棒６７の反射面が照明光路に斜設される。ＬＥＤ６１から出力されたフォーカス光は、リレーレンズ６２を通過し、スプリット視標板６３により２つの光束に分離され、二孔絞り６４を通過し、ミラー６５により反射され、集光レンズ６６により反射棒６７の反射面に一旦結像されて反射される。更に、フォーカス光は、リレーレンズ２０を経由し、孔開きミラー２１に反射され、ダイクロイックミラー４６を透過し、対物レンズ２２により屈折されて眼底Ｅｆに投射される。
【００２４】
フォーカス光の眼底反射光は、アライメント光の角膜反射光と同じ経路を通ってＣＣＤイメージセンサ３５により検出される。ＣＣＤイメージセンサ３５による受光像（スプリット指標像）に基づき、従来と同様のマニュアルアライメントやオートアライメントを行うことができる。
【００２５】
撮影光学系３０は、視度補正レンズ７０及び７１を含む。視度補正レンズ７０及び７１は、孔開きミラー２１とダイクロイックミラー５５との間の撮影光路に選択的に挿入可能である。視度補正レンズ７０は、強度遠視を補正するためのプラス（＋）レンズであり、例えば＋２０Ｄ（ディオプター）の凸レンズである。視度補正レンズ７１は、強度近視を補正するためのマイナス（−）レンズであり、例えば−２０Ｄの凹レンズである。視度補正レンズ７０及び７１は、例えばターレット板に装着されている。ターレット板には、視度補正レンズ７０及び７１のいずれも適用しない場合のための孔部が形成されている。
【００２６】
ダイクロイックミラー４６は、眼底撮影用の光路とＯＣＴ用の光路とを合成する。ダイクロイックミラー４６は、ＯＣＴに用いられる波長帯の光を反射し、眼底撮影用の光を透過させる。ＯＣＴ用の光路には、ＯＣＴユニット１００側から順に、コリメータレンズユニット４０、光路長変更部４１、光スキャナ４２、ＯＣＴ合焦レンズ４３、ミラー４４、及びリレーレンズ４５が設けられている。
【００２７】
光路長変更部４１は、図１に示す矢印の方向に移動可能とされ、ＯＣＴ用の光路の光路長を変更する。この光路長の変更は、被検眼Ｅの眼軸長に応じた光路長の補正や、干渉状態の調整などに利用される。光路長変更部４１は、例えばコーナーキューブと、これを移動する機構とを含む。
【００２８】
光スキャナ４２は、被検眼Ｅの瞳孔と光学的に共役な位置に配置される。光スキャナ４２は、ＯＣＴ用の光路を通過する測定光ＬＳの進行方向を変更する。それにより、被検眼Ｅが測定光ＬＳでスキャンされる。光スキャナ４２は、ｘｙ平面の任意方向に測定光ＬＳを偏向可能であり、例えば、測定光ＬＳをｘ方向に偏向するガルバノミラーと、ｙ方向に偏向するガルバノミラーとを含む。
【００２９】
〈ＯＣＴユニット１００〉
図２に例示するように、ＯＣＴユニット１００には、被検眼ＥのＯＣＴを実行するための光学系が設けられている。この光学系の構成は、従来のスウェプトソースＯＣＴと同様である。すなわち、この光学系は、波長掃引型（波長走査型）光源からの光を測定光と参照光とに分割し、被検眼Ｅからの測定光の戻り光と参照光路を経由した参照光とを干渉させて干渉光を生成し、この干渉光を検出する干渉光学系を含む。干渉光学系により得られる検出結果（検出信号）は、干渉光のスペクトルを示す信号であり、演算制御ユニット２００に送られる。
【００３０】
光源ユニット１０１は、一般的なスウェプトソースＯＣＴと同様に、出射光の波長を高速で変化させる波長掃引型（波長走査型）光源を含む。波長掃引型光源は、例えば、近赤外レーザ光源である。
【００３１】
光源ユニット１０１から出力された光Ｌ０は、光ファイバ１０２により偏波コントローラ１０３に導かれてその偏光状態が調整される。更に、光Ｌ０は、光ファイバ１０４によりファイバカプラ１０５に導かれて測定光ＬＳと参照光ＬＲとに分割される。
【００３２】
参照光ＬＲは、光ファイバ１１０によりコリメータ１１１に導かれて平行光束に変換され、光路長補正部材１１２及び分散補償部材１１３を経由し、コーナーキューブ１１４に導かれる。光路長補正部材１１２は、参照光ＬＲの光路長と測定光ＬＳの光路長とを合わせるよう作用する。分散補償部材１１３は、参照光ＬＲと測定光ＬＳとの間の分散特性を合わせるよう作用する。
【００３３】
コーナーキューブ１１４は、入射した参照光ＬＲの進行方向を逆方向に折り返す。コーナーキューブ１１４に対する参照光ＬＲの入射方向と出射方向は互いに平行である。コーナーキューブ１１４は、参照光ＬＲの入射方向に移動可能であり、それにより参照光ＬＲの光路長が変更される。
【００３４】
図１及び図２に示す構成では、測定光ＬＳの光路（測定光路、測定アーム）の長さを変更するための光路長変更部４１と、参照光ＬＲの光路（参照光路、参照アーム）の長さを変更するためのコーナーキューブ１１４の双方が設けられているが、光路長変更部４１とコーナーキューブ１１４のいずれか一方のみが設けられてもよい。また、これら以外の光学部材を用いて、測定光路長と参照光路長との差を変更することも可能である。
【００３５】
コーナーキューブ１１４を経由した参照光ＬＲは、分散補償部材１１３及び光路長補正部材１１２を経由し、コリメータ１１６によって平行光束から集束光束に変換され、光ファイバ１１７に入射する。光ファイバ１１７に入射した参照光ＬＲは、偏波コントローラ１１８に導かれてその偏光状態が調整され、光ファイバ１１９によりアッテネータ１２０に導かれて光量が調整され、光ファイバ１２１によりファイバカプラ１２２に導かれる。
【００３６】
一方、ファイバカプラ１０５により生成された測定光ＬＳは、光ファイバ１２７により導かれてコリメータレンズユニット４０により平行光束に変換され、光路長変更部４１、光スキャナ４２、ＯＣＴ合焦レンズ４３、ミラー４４及びリレーレンズ４５を経由し、ダイクロイックミラー４６により反射され、対物レンズ２２により屈折されて被検眼Ｅに入射する。測定光ＬＳは、被検眼Ｅの様々な深さ位置において散乱・反射される。被検眼Ｅからの測定光ＬＳの戻り光は、往路と同じ経路を逆向きに進行してファイバカプラ１０５に導かれ、光ファイバ１２８を経由してファイバカプラ１２２に到達する。
【００３７】
ファイバカプラ１２２は、光ファイバ１２８を介して入射された測定光ＬＳと、光ファイバ１２１を介して入射された参照光ＬＲとを合成して（干渉させて）干渉光を生成する。ファイバカプラ１２２は、所定の分岐比（例えば１：１）で干渉光を分岐することにより、一対の干渉光ＬＣを生成する。一対の干渉光ＬＣは、それぞれ光ファイバ１２３及び１２４を通じて検出器１２５に導かれる。
【００３８】
検出器１２５は、例えばバランスドフォトダイオード（Ｂａｌａｎｃｅｄ  Ｐｈｏｔｏ  Ｄｉｏｄｅ）である。バランスドフォトダイオードは、一対の干渉光ＬＣをそれぞれ検出する一対のフォトディテクタを有し、これらによる検出結果の差分を出力する。検出器１２５は、その検出結果（検出信号）をＤＡＱ（Ｄａｔａ  Ａｃｑｕｉｓｉｔｉｏｎ  Ｓｙｓｔｅｍ）１３０に送る。
【００３９】
ＤＡＱ１３０には、光源ユニット１０１からクロックＫＣが供給される。クロックＫＣは、光源ユニット１０１において、波長掃引型光源により所定の波長範囲内で掃引される各波長の出力タイミングに同期して生成される。光源ユニット１０１は、例えば、各出力波長の光Ｌ０を分岐することにより得られた２つの分岐光の一方を光学的に遅延させた後、これらの合成光を検出した結果に基づいてクロックＫＣを生成する。ＤＡＱ１３０は、検出器１２５から入力される検出信号をクロックＫＣに基づきサンプリングする。ＤＡＱ１３０は、検出器１２５からの検出信号のサンプリング結果を演算制御ユニット２００に送る。
【００４０】
〈演算制御ユニット２００〉
演算制御ユニット２００は、眼底カメラユニット２、表示装置３及びＯＣＴユニット１００の各部を制御する。また、演算制御ユニット２００は、各種の演算処理を実行する。例えば、演算制御ユニット２００は、一連の波長走査毎に（Ａライン毎に）、検出器１２５により得られた検出結果に基づくスペクトル分布にフーリエ変換等の信号処理を施すことにより、各Ａラインにおける反射強度プロファイルを形成する。更に、演算制御ユニット２００は、各Ａラインの反射強度プロファイルを画像化することにより画像データを形成する。そのための演算処理は、従来のスウェプトソースＯＣＴと同様である。
【００４１】
演算制御ユニット２００は、例えば、プロセッサ、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、ハードディスクドライブ、通信インターフェイスなどを含む。ハードディスクドライブ等の記憶装置には各種コンピュータプログラムが格納されている。演算制御ユニット２００は、操作デバイス、入力デバイス、表示デバイスなどを含んでよい。
【００４２】
〈制御系〉
眼科撮影装置１の制御系の構成例を図３に示す。
【００４３】
〈制御部２１０〉
制御部２１０は、眼科撮影装置１の各部を制御する。制御部２１０はプロセッサを含む。制御部２１０には、主制御部２１１と、記憶部２１２と、表示条件選択部２１３とが設けられている。
【００４４】
〈主制御部２１１〉
主制御部２１１は各種の制御を行う。例えば、主制御部２１１は、撮影合焦レンズ３１、ＣＣＤ（イメージセンサ）３５及び３８、ＬＣＤ３９、光路長変更部４１、光スキャナ４２、ＯＣＴ合焦レンズ４３、フォーカス光学系６０、反射棒６７、光源ユニット１０１、参照駆動部１１４Ａ、検出器１２５、ＤＡＱ１３０などを制御する。参照駆動部１１４Ａは、参照光路に設けられたコーナーキューブ１１４を移動させる。それにより、参照光路の長さが変更される。
【００４５】
眼科撮影装置１は移動機構１５０を備える。移動機構１５０は、例えば眼底カメラユニット２（又は、それに格納された光学系の少なくとも一部）を移動する。移動機構１５０は、ＯＣＴユニット１００（又は、それに格納された光学系の少なくとも一部）を移動可能であってもよい。移動機構１５０は１以上のアクチュエータ１５１を含む。アクチュエータ１５１は、例えば、主制御部２１１により制御されるパルスモータ等を含み、眼底カメラユニット２等を移動するための駆動力を発生する。パルスモータ１５１により生成された駆動力は、図示しない機構によって伝達されて眼底カメラユニット２等を移動する。それにより、眼底カメラユニット２等が３次元的に移動される。
【００４６】
〈記憶部２１２〉
記憶部２１２は各種のデータを記憶する。記憶部２１２に記憶されるデータとしては、例えば、ＯＣＴ画像の画像データ、眼底像の画像データ、被検眼情報などがある。被検眼情報は、患者ＩＤや氏名などの被検者情報や、左眼／右眼の識別情報や、電子カルテ情報などを含む。
【００４７】
更に、記憶部２１２には表示条件情報２１２ａが予め記憶される。表示条件情報２１２ａには、眼の１以上の部位に対してそれぞれ表示条件が対応付けられている。眼の部位は、例えば、眼底、硝子体、水晶体、前房、角膜等を含む。また、「眼底」を複数のサブ組織（網膜、硝子体、強膜等）に分類してもよい。
【００４８】
表示条件は、ＯＣＴにより得られた画像（断面像、３次元画像、正面断面像等）を表示させるための条件（パラメータ）を表す。表示条件は、例えば、表示色と表示階調とを含む。表示色と表示階調との組み合わせをカラーコードと呼ぶことがある。本実施形態では、表示条件はカラーコードを含む。
【００４９】
表示色は、表示部２４１（又は外部の表示装置）により表示可能な任意の色であってよく、また、単色でも多色でもよい。単色の例として、白黒、赤、緑、青などがある。多色の例として、光の三原色（赤、緑、青）などがある。
【００５０】
表示階調は、ＯＣＴにより得られた画像を表示させるときの階調（濃淡の段階数）を示す。表示階調は、色の階調及び明るさ（輝度）の階調の少なくとも一方を含んでよい。階調数は１以上の任意の数であってよい。例えば、１階調、２階調、・・・、２５６階調などがある。
【００５１】
表示階調は、例えば、後述の画像形成部２２０により形成される断面像（グレースケール画像）の階調に基づき設定される。このグレースケール画像（白、黒、及びその中間色である灰色によって表現される画像）の階調を基準階調と呼ぶことがある。基準階調Ａ０は、例えば２５６階調（例えば、黒の画素値＝０、白の画素値＝２５５）である。表示階調は、上記のように１以上の階調値を含む。表示階調が１階調の場合、基準階調Ａ０における任意の階調値に対して同じ表示階調値が割り当てられる。表示階調が２階調の場合、基準階調Ａ０に含まれる全ての階調値が２つの部分集合に分割され、第１部分集合が第１表示階調値に割り当てられ、第２部分集合が第２表示階調値に割り当てられる。同様に、表示階調がＮ階調の場合、基準階調Ａ０に含まれる全ての階調値がＮ個の部分集合に分割され、第ｎ部分集合が第ｎ表示階調値に割り当てられる（ｎ＝１，２，・・・，Ｎ）。なお、表示階調の階調数Ｎは、例えば、基準階調Ａ０の階調数以下の値とされる。
【００５２】
基準階調Ａ０に含まれる階調値の複数の部分集合のそれぞれは連結集合であってよい。換言すると、任意のｎ１＝１〜Ｎ、ｎ２＝１〜Ｎ（ｎ１≠ｎ２）について、第ｎ１部分集合に含まれる任意の階調値と第ｎ２部分集合に含まれる任意の階調値との間には、一定の大小関係がある（つまり、一方は他方よりも常に大きいか、或いは常に小さい）。
【００５３】
基準階調Ａ０と表示階調との対応関係の例を図４Ａ〜図４Ｃに示す。図４Ａに示すグラフ３０１は、基準階調Ａ０と表示階調Ａとの対応関係の第１の例を表す。横軸は基準階調Ａ０を表し、その範囲は０からαＫである。つまり、本例の基準階調Ａ０はＫ＋１階調である。基準階調Ａ０における任意の階調値をαｋと表す（ｋ＝０，１，２，・・・，Ｋ）。一方、縦軸は任意の表示階調Ａを表し、その範囲は０からａＮである。つまり、本例の表示階調ＡはＮ＋１階調である。表示階調Ａにおける任意の階調値をａｎと表す（ｎ＝０，１，２，・・・，Ｎ）。ここで、ＫとＮとは等しくても等しくなくてもよい。また、本例では、ＮはＫ以下（Ｎ≦Ｋ）とされる（Ｎ＞Ｋとすると、或るαｋに対して２以上のａｎが対応付けられることになる）。グラフ３０１は、基準階調Ａ０における各階調値αｋに１つの表示階調値ａｎが対応付けられていることを表している。なお、グラフ３０１は連続的な直線として表現されているが、実際は、複数の基準階調値αｋと複数の表示階調値ａｎとの対応を表す離散的な集合（直線グラフ３０１上に配置された複数の点）である。このようなグラフ３０１は、ＯＣＴにより得られた画像の画素値（基準階調値αｋで表現される）を表示階調値ａｎに変換するためのルックアップテーブルとして用いられる。
【００５４】
基準階調Ａ０と表示階調との対応関係の第２の例を図４Ｂに示す。図４Ｂに示すグラフ３０２は、図４Ａのグラフ３０１と同様に基準階調Ａ０と表示階調Ａとの対応関係の例を表すが、曲線状のグラフである点でグラフ３０１と異なる。座標軸や階調数については図４Ａの場合と同様である。ＯＣＴにより得られた画像の画素値αｋを表示階調値ａｎに変換するためのルックアップテーブルとして、このようなグラフ３０２を用いることができる。
【００５５】
基準階調Ａ０と表示階調との対応関係の第３の例を図４Ｃに示す。図４Ｃに示すグラフ３０３は、座標軸や階調数については上記グラフ３０１及び３０２の場合と同様であるが、全体が連続なグラフ３０１及び３０２と異なり、グラフ３０３は複数の不連続点を有するグラフである。より具体的には、本例のグラフ３０３は、基準階調Ａ０を表す横軸に平行な複数の部分３０３（ｎ）（ｎ＝０，１，２，・・・，Ｎ）が階段状に配列されたグラフである。図４Ｃにおいて、任意の部分３０３（ｎ）は、基準階調値の範囲αｋ１＜αｋ≦αｋ２を定義域としており、この範囲αｋ１＜αｋ≦αｋ２内の任意の基準階調値αｋに対して同じ表示階調値ａｎを対応付けている。すなわち、図４Ａのグラフ３０１及び図４Ｂのグラフ３０２が基準階調値と表示階調値とを「一対一」に対応付けているのに対し、図４Ｃのグラフ３０３では、基準階調値と表示階調値とが「多対一」に対応付けられている。ＯＣＴにより得られた画像の画素値αｋを表示階調値ａｎに変換するためのルックアップテーブルとして、このようなグラフ３０３を用いることができる。
【００５６】
基準階調Ａ０と表示階調との対応関係を表す情報の形態はグラフには限定されない。例えば、複数の基準階調値と複数の表示階調値とが対応付けられたテーブルを適用することが可能である。
【００５７】
以上のようなカラーコード（表示色、表示階調）を含む表示条件情報２１２ａの構成の例を図５に示す。図５に示す表示条件情報２１２ａは、眼の部位として少なくとも「眼底」と「硝子体」を含む。部位「眼底」に対し、表示色「Ｃ１」と表示階調「Ａ１」が対応付けられている。また、部位「硝子体」に対し、表示色「Ｃ２」と表示階調「Ａ２」が対応付けられている。
【００５８】
部位「眼底」に対応する表示色「Ｃ１」は、例えばグレースケール（白、黒及びこれらの中間色）である。表示階調「Ａ１」は、例えば、図４Ａ〜図４Ｃに示すグラフ又はテーブル情報であってよい。例えば、表示階調「Ａ１」として、基準階調Ａ０と表示階調Ａ＝Ａ１とを対応付けるよう作成された図４Ａ〜図４Ｃのいずれかに示すグラフ又はテーブル情報を用いることができる。
【００５９】
なお、表示条件に含まれる表示色及び表示階調の双方が、画像形成部２２０により形成される画像の色（グレースケール）及び階調（基準階調）と同じである場合、つまり、画像形成部２２０により形成される画像の（少なくとも）一部について色変換を行わずそのまま表示させる場合、その部位に関する表示条件を設ける必要はない。或いは、その部位について設けられたルックアップテーブルが示す変換は恒等変換であってよい。
【００６０】
部位「硝子体」に対応する表示色「Ｃ２」及び表示階調「Ａ２」は、例えば疑似カラー表現を提供する。疑似カラーは、グレースケールの基準階調Ａ０の階調値（輝度値）ごとに所定の色を割り当てるカラー表現技術であり、グレースケール（白黒の濃淡）では判別しにくい微妙な輝度の違いを色の変化によって強調して表現することができる。グレースケール表現（基準階調Ａ０）を疑似カラー表現（表示階調Ａ２）に変換するルックアップテーブルは、例えば、図４Ａ〜図４Ｃに示すグラフ又はテーブル情報であってよい。例えば、表示階調「Ａ２」として、基準階調Ａ０と表示階調Ａ＝Ａ２とを対応付けるよう作成された図４Ａ〜図４Ｃのいずれかに示すグラフ又はテーブル情報を用いることができる。ここで、表示階調Ａ２は、例えば、図４Ａの縦軸Ａの各階調値ａｎに、赤（Ｒ）、緑（Ｇ）、青（Ｂ）の組み合わせを割り当てることにより得られる。それにより、横軸である基準階調Ａ０の各階調値αｎを疑似カラーの階調値ａｎに変換するためのルックアップテーブルが得られる。
【００６１】
〈表示条件選択部２１３〉
表示条件選択部２１３は、ユーザ又は眼科撮影装置１により指定された被検眼Ｅの部位に対応する表示条件を表示条件情報２１２ａから選択する。図５に示す表示条件情報２１２ａが適用され、かつ、指定された部位が眼底Ｅｆである場合、表示条件選択部２１３は、表示条件情報２１２ａにおいて部位「眼底」に対応する表示色「Ｃ１」と表示階調「Ａ１」とを選択する。また、指定された部位が「硝子体」である場合、表示条件選択部２１３は、表示色「Ｃ２」と表示階調「Ａ２」とを選択する。
【００６２】
なお、被検眼Ｅの部位の指定は、上記のようにユーザ又は眼科撮影装置１により行われる。ユーザが被検眼Ｅの部位を指定する場合の例として、部位を指定するためのグラフィカルユーザーインターフェイス（ＧＵＩ）を制御部２１０により表示部２４１に表示することができる。ユーザは、操作部２４２を用いて所望の部位を指定することが可能である。ユーザによる指定の他の例として、画像形成部２２０により形成された画像（又は外部から取得されたＯＣＴ画像）を制御部２１０により表示部２４１に表示することができる。ユーザは、表示された画像中の所望の領域を、操作部２４０を用いて指定することが可能である。このとき、指定された領域に相当する部位の名称等をユーザが入力することができる。或いは、例えばデータ処理部２３０が、指定領域の形状やサイズや輝度、更には他の領域との位置関係などを画像解析によって取得し、この解析結果に基づいて指定領域に相当する部位を特定することができる。
【００６３】
画像撮影装置１が被検眼Ｅの部位を指定する場合の例として、後述の部分領域特定部２３１により特定された画像領域に相当する部位を例えばデータ処理部２３０が特定するように構成することが可能である。そのための処理は、例えば、部分領域特定部２３１により特定された画像領域の形状やサイズや輝度、更には他の画像領域との位置関係などを画像解析で取得する処理と、特定された画像領域に相当する部位の名称等を画像解析の結果から特定する処理とを含む。
【００６４】
〈画像形成部２２０〉
画像形成部２２０は、ＤＡＱ１３０から入力された検出信号のサンプリング結果に基づいて、眼底Ｅｆの断面像の画像データを形成する。この処理には、従来のスウェプトソースＯＣＴと同様に、ノイズ除去（ノイズ低減）、フィルタ処理、ＦＦＴ（Ｆａｓｔ  Ｆｏｕｒｉｅｒ  Ｔｒａｎｓｆｏｒｍ）などの信号処理が含まれる。画像形成部２２０により形成される画像データは、スキャンラインに沿って配列された複数のＡライン（ｚ方向のライン）における反射強度プロファイルを画像化することにより形成された一群の画像データ（一群のＡスキャン像データ）を含むデータセットである。
【００６５】
画像形成部２２０は、例えば、プロセッサ及び専用回路基板の少なくともいずれかを含む。なお、本明細書では、「画像データ」と、それに基づく「画像」とを同一視することがある。また、被検眼Ｅの部位とそれを表す画像とを同一視することがある。
【００６６】
〈データ処理部２３０〉
データ処理部２３０は、画像形成部２２０により形成された画像に対して画像処理や解析処理を施す。例えば、データ処理部２３０は、画像の輝度補正や分散補正等の補正処理を実行する。また、データ処理部２３０は、眼底カメラユニット２により得られた画像（眼底像、前眼部像等）に対して画像処理や解析処理を施す。データ処理部２３０は、例えば、プロセッサ及び専用回路基板の少なくともいずれかを含む。
【００６７】
〈部分領域特定部２３１〉
部分領域特定部２３１は、画像形成部２２０により形成された画像を解析することにより、被検眼Ｅの所定部位に相当する部分領域を特定する。この所定部位は、表示条件選択部２１３が表示条件情報２１２ａから表示条件（表示色、表示階調等）を選択するための入力情報である被検眼Ｅの部位と同じである。
【００６８】
部分領域特定部２３１が実行する処理の例を説明する。部分領域特定部２３１は、被検眼ＥのＯＣＴ画像を複数の部分領域に分割する処理を行う。本例では、部分領域特定部２３１が被検眼Ｅの２次元画像（断面像）を複数の２次元部分領域に分割する場合について説明する。この２次元画像としては、画像形成部２２０により形成された断面像（Ｂスキャン画像等）や、３次元画像から得られる断面像（ＭＰＲ画像）などがある。複数のＢスキャン画像から３次元画像を形成する処理と、３次元画像からＭＰＲ画像を形成する処理は、データ処理部２３０により実行される。ここで、「画像を分割する」とは、画像を複数の部分領域に分類すること、つまり、画像を構成する複数の画素からなる集合を複数の部分集合に分けること（或いは、画像を構成する各画素に対していずれかの部分領域に対応するラベルを付与すること）を少なくとも含む。なお、上記分類処理の対象となる複数の画素は、当該画像を構成する全ての画素であってもよいし、一部の画素であってもよい。さらに、「画像を分割する」処理は、上記分類処理により得られた部分領域を元の画像から取り出す処理、つまり、部分領域を抽出する処理を含んでいてもよい。この場合、後段の表示処理において、抽出された複数の部分領域を再度合成することにより表示画像が形成される。
【００６９】
部分領域特定部２３１は、被検眼Ｅの２次元画像を解析することにより、被検眼Ｅの１以上の部位のそれぞれに相当する１次元画像領域を特定する。特定対象の部位は、被検眼Ｅの任意の部位であってよい。たとえば、特定対象の部位は、網膜の層（網膜色素上皮層、視細胞層、外境界膜、外顆粒層、外網状層、内顆粒層、内網状層、神経節細胞層、神経線維層、内境界膜）又はその境界、ブルッフ膜、脈絡膜の境界、強膜の境界、硝子体の境界であってよい。また、特定対象の部位は、病変部の境界であってよい。また、撮像範囲に前眼部が含まれている場合、角膜の境界、角膜の層（角膜上皮、ボーマン膜、角膜実質、デュア層、デスメ膜、角膜内皮）又はその境界、水晶体の境界、虹彩の境界などであってよい。なお、特定対象の部位は、解剖学的な組織や病変部などには限定されず、被検眼の画像を解析して得られた領域や、被検眼の画像を参照して手動で設定された領域なども含む概念であってよい。画像を解析して得られた領域の例として、下記のセグメンテーションにより得られた画像領域（層領域、層の境界領域等）がある。
【００７０】
部分領域特定部２３１が実行する処理の例として、セグメンテーションと呼ばれる処理を説明する。部分領域特定部２３１は、被検眼Ｅの２次元画像の画素値に基づいて、特定対象の部位に相当する画像領域に含まれる複数の画素を特定する。次に、部分領域特定部２３１は、特定された複数の画素に基づいて近似曲線を求める。この近似曲線は、任意の手法で求めることができ、その一例として、線形近似曲線、対数近似曲線、多項式近似曲線、累乗近似曲線、指数近似曲線、移動平均近似曲線などがある。このようにして取得された近似曲線を、特定対象の部位に相当する１次元画像領域として用いることができる。
【００７１】
部分領域特定部２３１により特定される部位の個数は任意である。特定対象となる１以上の部位は予め設定されてよい。その設定方法としては、デフォルト設定、解析手法や観察部位に応じた選択的な設定、ユーザによる任意的な設定などがある。同様に、部分領域特定部２３１により得られる部分領域の個数も任意である。
【００７２】
部分領域特定部２３１は、前段の処理により特定された１次元画像領域を境界とする２次元画像領域を、部分領域特定部２３１による特定目標である部分領域として特定する。各部分領域は、被検眼Ｅの所定の組織又はその一部であってよく、また、２以上の組織又はその一部であってもよい。また、各部分領域は、病変部又はその一部であってよい。
【００７３】
部分領域特定部２３１が実行する処理の例を、図６Ａ及び図６Ｂを参照して説明する。図６Ａに示すように、部分領域特定部２３１は、画像形成部２２０により形成された断面像（Ｂスキャン画像）Ｇを解析することにより、網膜と硝子体との境界（内境界膜）に相当する１次元画像領域（網膜−硝子体境界領域）ｇ１を特定する。なお、特定対象は網膜−硝子体境界領域には限定されず、例えば、網膜と脈絡膜との境界（ブルッフ膜）に相当する１次元画像領域（網膜−脈絡膜境界領域）や、脈絡膜と強膜との境界に相当する１次元画像領域（脈絡膜−強膜境界領域）を特定するよう構成することが可能である。
【００７４】
図６Ａに示す場合において、部分領域特定部２３１は、図６Ｂに示すように、網膜−硝子体境界領域ｇ１を境界として互いに隣接する硝子体領域Ｇ１と眼底領域Ｇ２とを特定することができる。なお、眼底領域Ｇ２を２以上のサブ領域に分割することも可能である。例えば、眼底領域Ｇ２は、網膜−硝子体境界領域ｇ１及び網膜−脈絡膜境界領域の双方を境界とする網膜領域と、網膜−脈絡膜境界領域と脈絡膜−強膜境界とを境界とする脈絡膜領域と、脈絡膜−強膜境界を境界とする強膜領域とに分割される。更に、網膜領域を２以上のサブ領域に分割することも可能である。
【００７５】
〈ユーザインターフェイス２４０〉
ユーザインターフェイス２４０は表示部２４１と操作部２４２とを含む。表示部２４１は表示装置３を含む。操作部２４２は各種の操作デバイスや入力デバイスを含む。ユーザインターフェイス２４０は、例えばタッチパネルのような表示機能と操作機能とが一体となったデバイスを含んでいてもよい。ユーザインターフェイス２４０の少なくとも一部を含まない実施形態を構築することも可能である。例えば、表示デバイスは、眼科撮影装置に接続された外部装置であってよい。
【００７６】
〈動作態様〉
眼科撮影装置１の動作について説明する。動作の一例を図７に示す。
【００７７】
（Ｓ１：被検眼のＯＣＴ測定を行う）
まず、被検眼ＥのＯＣＴ測定が行われる。本例では、眼底Ｅｆと硝子体とを含む範囲のデータが収集される。
【００７８】
（Ｓ２：ＯＣＴ画像を形成する）
画像形成部２２０は、ステップＳ１で収集されたデータに基づいてＯＣＴ画像を形成する。このＯＣＴ画像をデータ処理部２３０により加工することができる。例えば、画像形成部２２０により形成された複数のＢスキャン画像から３次元画像（ボリュームデータ、スタックデータ等）を形成することができる。更に、この３次元データに対して任意の断面を設定し、この断面を表す画像（ＭＰＲ画像）を形成することができる。また、画質調整や強調処理やノイズ低減などをＯＣＴ画像に施すことができる。
【００７９】
（Ｓ３：眼底領域と硝子体領域を特定する）
部分領域特定部２３１は、ステップＳ２で形成されたＯＣＴ画像を解析することにより、被検眼Ｅの所定部位に相当する部分領域を特定する。本例では、眼底Ｅｆに相当する眼底領域と、硝子体に相当する硝子体領域とが特定される。
【００８０】
（Ｓ４：各部分領域の表示条件を選択する）
表示条件選択部２１３は、各部分領域の表示条件を表示条件情報２１２ａから選択する。本例では、眼底領域に対応する表示色「Ｃ１」及び表示階調「Ａ１」と、硝子体領域に対応する表示色「Ｃ２」及び表示階調「Ａ２」が、図５に示す表示条件情報２１２ａから選択される。
【００８１】
（Ｓ５：表示色・表示階調を変換する）
主制御部２１１は、ステップＳ４で選択された表示条件でＯＣＴ画像の画素値を変換する。本例では、ＯＣＴ画像の眼底領域の各画素の値を表示色「Ｃ１」及び表示階調「Ａ１」に基づき変換し、かつ、硝子体領域の各画素の値を表示色「Ｃ２」及び表示階調「Ａ２」に基づき変換する。
【００８２】
（Ｓ６：変換されたＯＣＴ画像を表示する）
主制御部２１１は、ステップＳ５において少なくとも一部の画素の値が変換されたＯＣＴ画像を表示部２４１に表示させる。本例では、ＯＣＴ画像の眼底領域はグレースケールで表示され、硝子体領域は疑似カラーで表示される。
【００８３】
〈他の動作態様〉
眼科撮影装置１の動作態様の幾つかの例を説明する。
【００８４】
第１の例を説明する。被検眼Ｅの２以上の画像を表示部２４１に表示させることがある。例えば、経過観察や術前術後観察において、異なるタイミングで取得された２以上の画像を比較観察することがある。２以上の画像は、例えば、所定のレイアウトで並べて表示される。或いは、２以上の画像は、所定枚数（１枚以上）ずつ順次に表示される。なお、２以上の画像の一部が他の眼科撮影装置により取得されたものであってよい。また、２以上の画像は、３次元スキャンにより得られた複数のＢスキャン画像であってよいし、３次元画像から形成された複数の画像（ＭＰＲ画像等）であってもよい。
【００８５】
このように２以上の画像を表示する場合、被検眼Ｅの同じ部位に相当する各画像の部分領域に同じ表示条件を適用することができる。そのために、部分領域特定部２３１は、２以上の画像のそれぞれにおいて被検眼Ｅの所定部位に相当する部分領域を特定する。主制御部２１１は、この部位に対応する表示条件を各画像の部分領域に適用する。
【００８６】
図８を参照しつつ具体例を説明する。本例では、被検眼Ｅの２つの断面像（Ｂスキャン画像）Ｇ及びＨが表示される。断面像Ｇ及びＨが表す断面は同じでも異なってもよい。部分領域特定部２３１は、断面像Ｇを解析することにより網膜−硝子体境界領域ｇ１を特定し、網膜−硝子体境界領域ｇ１を境界として互いに隣接する硝子体領域Ｇ１と眼底領域Ｇ２とを特定する。更に、部分領域特定部２３１は、断面像Ｈを解析することにより網膜−硝子体境界領域ｈ１を特定し、網膜−硝子体境界領域ｈ１を境界として互いに隣接する硝子体領域Ｈ１と眼底領域Ｈ２とを特定する。
【００８７】
表示条件選択部２１３は、硝子体領域Ｇ１及びＨ１に対応する表示色「Ｃ２」及び表示階調「Ａ２」と、眼底領域Ｇ２及びＨ２に対応する表示色「Ｃ１」及び表示階調「Ａ１」とを、図５に示す表示条件情報２１２ａから選択する。主制御部２１１は、硝子体領域Ｇ１及びＨ１のそれぞれの各画素の値を表示色「Ｃ２」及び表示階調「Ａ２」に基づき変換し、かつ、眼底領域Ｇ２及びＨ２のそれぞれの各画素の値を表示色「Ｃ１」及び表示階調「Ａ１」に基づき変換する。更に、主制御部２１１は、画素値が変換された２つの断面像Ｇ及びＨを表示部２４１に表示させる。それにより、断面像Ｇ及びＨの硝子体領域Ｇ１及びＨ１は疑似カラーで表示され、かつ、眼底領域Ｇ２及びＨ２はグレースケールで表示される。
【００８８】
第２の例を説明する。表示部２４１に表示されている画像の表示条件をユーザが任意に変更できるよう構成することが可能である。そのために、主制御部２１１は、例えば、表示条件を変更するためのＧＵＩを画像とともに表示部２４１に表示させる。ユーザは、操作部２４２を用いてＧＵＩを操作することにより、この画像の所望の部分領域を指定する操作と、表示条件を変更する操作とを行う。部分領域を指定する操作は、例えば、マウス等のポインティングデバイスを用いて画像に対して行われる。或いは、画像とともに表示された眼の部位のリストから所望の部位を選択するよう構成することもできる。表示条件を変更する操作は、例えば、表示条件の選択肢が列挙されたリスト（プルダウンメニュー、ソフトウェアキー等）から所望の表示条件を選択することにより行われる。また、所定の属性（例えば眼疾患）毎に表示条件の最適な組み合わせを予め設定しておき、それらを任意に選択できるように構成することも可能である。
【００８９】
ユーザが部分領域と表示条件とを指定すると、主制御部２１１は、この表示条件をこの部分領域に適用する。それにより、表示されている画像の当該部分領域の表示条件が切り替わる。
【００９０】
また、第１の例のように２以上の画像を表示する場合において、ユーザが１つの画像の部分領域を指定し、かつ、表示条件の指定を行ったとき、当該部分領域に相当する他の画像中の部分領域を特定して当該表示条件を適用することができる。つまり、２以上の画像のいずれかに対してなされた表示条件の変更を他の画像に自動で反映するよう構成することが可能である。
【００９１】
第３の例を説明する。記憶部２１２に格納されている表示条件情報２１２ａをユーザが任意に編集できるよう構成することが可能である。そのために、主制御部２１１は、表示条件を編集するためのＧＵＩを表示部２４１に表示させる。ユーザは、操作部２４２を用いてＧＵＩを操作することにより、表示条件情報２１２ａを編集する。主制御部２１１は、表示条件情報２１２ａに記録されている１以上の表示条件を表示部２４１に表示させる。ＧＵＩには、表示条件の各項目を編集するためのソフトウェアキーやリストが表示されている。表示色を編集するための手段の例として、表示色の選択肢が提示されたリストがある。また、表示階調を編集するための手段の例として、表示階調数を変更するためのソフトウェアキーや、基準階調と表示階調とを対応付けるグラフの形状を変更するためのソフトウェアキーなどがある。
【００９２】
〈作用・効果〉
実施形態に係る眼科撮影装置の作用及び効果について説明する。
【００９３】
実施形態の眼科撮影装置は、記憶部と、データ収集部と、画像形成部と、部分領域特定部と、表示条件選択部と、制御部とを備える。記憶部には表示条件情報が予め記憶される。表示条件情報は、眼の１以上の部位のそれぞれに対して表示色及び表示階調を含む表示条件を対応付けている。上記実施形態では、記憶部２１２が記憶部に相当し、表示条件情報２１２ａが表示条件情報に相当する。データ収集部は、光コヒーレンストモグラフィ（ＯＣＴ）を用いて被検眼のデータを収集する。上記実施形態では、ＯＣＴユニット１００内の要素と、測定アームを形成する光学部材とが、データ収集部に含まれる。画像形成部は、データ収集部により収集されたデータに基づいて画像を形成する。上記実施形態では、画像形成部２２０が画像形成部に相当する。部分領域特定部は、画像形成部により形成された画像を解析することにより、被検眼の所定部位に相当する部分領域を特定する。上記実施形態では、部分領域特定部２３１が部分領域特定部に相当する。表示条件選択部は、被検眼の所定部位に対応する表示条件を表示条件情報から選択する。上記実施形態では、表示条件選択部２１３が表示条件選択部に相当する。制御部は、表示条件選択部により選択された表示条件に基づいて、画像形成部により形成された画像を表示手段に表示させる。上記実施形態では、主制御部２１１が制御部に相当し、表示部２４１が表示手段に相当する。なお、表示手段は眼科撮影装置の外部に設けられた表示装置であってよい。
【００９４】
実施形態において、制御部は、少なくとも、表示条件選択部により選択された表示条件に含まれる表示色及び表示階調を適用して画像中の部分領域を表示させるよう構成される。
【００９５】
このような実施形態によれば、ＯＣＴにより得られた画像において被検眼の所定部位に相当する部分領域を、その部分領域に応じた条件（表示色及び表示階調を少なくとも含む）で表示することが可能である。したがって、被検眼の所定部位を好適な表示色及び表示階調で表現することが可能である。それにより、被検眼の複数の部位が詳細に描出された画像を提供できる。
【００９６】
実施形態において、画像形成部は、所定の基準階調のグレースケール画像を形成するよう構成される。また、表示条件情報には、所定のカラーコードが１以上の部位のそれぞれに対応付けられる。このカラーコードは、白、黒及びこれらの中間色のいずれとも異なる１以上の表示色と、基準階調に基づき設定された複数の階調値を含む表示階調とにより定義されたものであってよい。制御部は、部分領域特定部により特定された部分領域の各画素のグレースケール値を、所定部位に対応するカラーコードに基づいてカラー値に変換するよう構成される。
【００９７】
このような構成によれば、グレースケール画像として得られるＯＣＴ画像に描出された所定部位を、この所定部位に応じたカラーコードで疑似カラー表示することが可能である。所定部位は、例えば硝子体のように、グレースケール画像では詳細を観察しにくい部位であってよい。
【００９８】
被検眼の２以上の画像が表示手段に表示される場合、次のような実施形態を適用することが可能である。すなわち、部分領域特定部は、２以上の画像のそれぞれについて、所定部位に相当する部分領域を特定するよう構成される。更に、制御部は、表示条件選択部により選択された所定部位に対応する表示条件を、２以上の画像のそれぞれにおける部分領域に適用するよう構成される。
【００９９】
このような構成によれば、被検眼の同じ部位を同じ表示条件で提示することができるので、２以上の画像の比較観察などを容易かつ好適に行うことが可能である。
【０１００】
実施形態の眼科撮影装置は、制御部により表示手段に表示された被検眼の画像の部分領域を指定する操作と、表示条件を変更する操作とを行うための第１ユーザインターフェイス部を備えてよい。上記実施形態では、ユーザインターフェイス２４０が第１ユーザインターフェイス部に相当する。制御部は、第１ユーザインターフェイス部により指定された表示条件を、第１ユーザインターフェイス部により指定された部分領域に適用するよう構成される。
【０１０１】
このような構成によれば、表示されている画像の部分領域を満足に観察できない場合、ユーザが任意に表示条件を調整することができる。例えば、表示色をグレースケールから疑似カラーに変更したり、表示階調を増加させたりすることにより、被検眼の所定部位をより詳細に観察することが可能となる。ここで、ユーザによって調整された表示条件に名称（条件名）を付して記憶部２１２や外部コンピュータ等に保存することができる。更に、次回以降の検査において、入力又は指定された条件名に対応する表示条件を呼び出すよう構成することが可能である。
【０１０２】
実施形態の眼科撮影装置は、表示条件情報を編集するための第２ユーザインターフェイス部を備えていてよい。上記実施形態では、ユーザインターフェイス２４０が第２ユーザインターフェイス部に相当する。
【０１０３】
このような構成によれば、ユーザは、表示条件情報に対して所望の編集を施すことが可能である。
【０１０４】
〈眼科画像表示装置〉
実施形態に係る眼科画像表示装置について説明する。眼科画像表示装置は、被検眼の画像を表示するための装置である。眼科画像表示装置は、例えば、コンピュータ端末、医療機関内のネットワーク（ＬＡＮ）上のサーバ、広域ネットワーク上のサーバ（クラウドサーバ等）等の情報処理装置のいずれかを含んだ構成であってよい。また、眼科画像表示装置は、眼科等で用いられる任意の撮影装置の一部として構成されてよい。
【０１０５】
実施形態の眼科画像表示装置の構成の例を図９に示す。眼科画像表示装置４００は、制御部４１０と、通信部４２０と、データ処理部４３０と、ユーザインターフェイス（ＵＩ）４４０とを含む。
【０１０６】
制御部４１０は、上記の眼科撮影装置１の制御部２１０と同様の構成及び機能を備える。具体的には、制御部４１０は、主制御部４１１と、記憶部４１２と、表示条件選択部４１３とを含む。主制御部２１１は、眼科撮影装置１の主制御部２１１と同様の構成及び機能を備える。記憶部４１２は、眼科撮影装置１の記憶部２１２と同様の構成及び機能を備え、表示条件情報２１２ａと同様の表示条件情報４１２ａを予め記憶する。表示条件選択部４１３は、眼科撮影装置１の表示条件選択部２１３と同様の構成及び機能を備える。
【０１０７】
通信部４２０は、外部の装置とネットワークを介してデータ通信を行うための通信インターフェイスを含む。通信インターフェイスは、ネットワークに準拠した構成及び機能を備え、例えばモデムやＬＡＮカードを含む。
【０１０８】
データ処理部４３０は、眼科撮影装置１のデータ処理部２３０と同様の構成及び機能を備え、部分領域特定部２３１と同様の部分領域特定部４３１を含む。ユーザインターフェイス４４０は、眼科撮影装置１の表示部２４１及び操作部２４２と同様の表示部４４１及び操作部４４２を含む。
【０１０９】
記憶部４１２は、眼の１以上の部位のそれぞれに表示色及び表示階調を含む表示条件が対応付けられた表示条件情報４１２ａを予め記憶する。通信部４２０は、光コヒーレンストモグラフィを用いて取得された被検眼の画像を受け付ける。通信部４２０は受付部の一例である。部分領域特定部４３１は、通信部４２０により受け付けられた画像を解析することにより、被検眼の所定部位に相当する部分領域を特定する。表示条件選択部４３１は、被検眼の所定部位に対応する表示条件を表示条件情報４１２ａから選択する。主制御部４１１は、表示条件選択部４１３により選択された表示条件に基づいて、通信部４２０により受信された画像を表示部４４１に表示させる。
【０１１０】
このような眼科画像表示装置によれば、ＯＣＴにより得られた画像において被検眼の所定部位に相当する部分領域を、その部分領域に応じた条件（表示色及び表示階調を少なくとも含む）で表示することが可能である。したがって、被検眼の所定部位を好適な表示色及び表示階調で表現することが可能である。それにより、被検眼の複数の部位が詳細に描出された画像を提供できる。
【０１１１】
実施形態の眼科画像表示装置は、上記実施形態の眼科撮影装置１について説明された構成及び機能のうち任意のものを備えていてよい。
【０１１２】
以上に説明した実施形態は本発明の一例に過ぎない。本発明を実施しようとする者は、本発明の要旨の範囲内における変形（省略、置換、付加等）を任意に施すことが可能である。
【符号の説明】
【０１１３】
１  眼科撮影装置
１００  ＯＣＴユニット
２１１  主制御部
２１２  記憶部
２１２ａ  表示条件情報
２１３  表示条件選択部
２２０  画像形成部
２３１  部分領域特定部
２４１  表示部
【図１】
2017093854.tif 000003
【図２】
2017093854.tif 000004
【図３】
2017093854.tif 000005
【図４Ａ】
2017093854.tif 000006
【図４Ｂ】
2017093854.tif 000007
【図４Ｃ】
2017093854.tif 000008
【図５】
2017093854.tif 000009
【図６Ａ】
2017093854.tif 000010
【図６Ｂ】
2017093854.tif 000011
【図７】
2017093854.tif 000012
【図８】
2017093854.tif 000013
【図９】
2017093854.tif 000014